(57)【特許請求の範囲】
【請求項１】
筐体に設けられた手差し用開口部と、
前記筐体の前記手差し用開口部より下方に配置され、記録媒体の送り込みをガイドするガイド部を有し、前記手差し用開口部からの前記記録媒体の送り込みを許容する開き状態と、前記手差し用開口部からの前記記録媒体の送り込みを制限する閉じ状態との間で回動可能に設けられている開閉トレイと、
前記筐体より突き出し、前記手差し用開口部の上方の一部を構成するフック部と、
前記筐体の前記フック部より上方に配置され、前記筐体と前記開閉トレイとの間で開閉可能な開閉カバーと、を備え、
前記開閉トレイおよび前記開閉カバーが開いた状態では、前記手差し用開口部からの前記記録媒体の送り込みを許容し、
前記開閉トレイおよび前記開閉カバーが閉じた状態では、前記開閉トレイおよび前記開閉カバーとの間で前記記録媒体が移動するのを許容する程度の隙間が形成されて、前記手差し用開口部からの前記記録媒体の送り込みを制限し、
前記記録媒体が前記手差し用開口部に導入されて前記開閉トレイおよび前記開閉カバーが閉じた状態では、前記記録媒体は、前記開閉トレイで持ち上げられるとともに、前記フック部に接触する、
ことを特徴とする記録装置。
【請求項２】
請求項１記載の記録装置であって、
前記開閉トレイは、回動軸を軸として開閉し、
前記開閉トレイの前記ガイド部は、前記回動軸より上流側のガイド部分と下流側のガイド部分を有し、
前記開閉トレイが前記開き状態から前記閉じ状態に移動すると、前記ガイド部の前記下流側のガイド部分は、前記開き状態における手差し用開口部から離れる、
ことを特徴とする記録装置。
【請求項３】
請求項１または２記載の記録装置であって、
前記開閉トレイおよび前記開閉カバーの前記閉じ状態では、前記開閉トレイおよび前記開閉カバーの上端側の高さ位置は、略同程度に設けられている、
ことを特徴とする記録装置。
【請求項４】
請求項１から３のいずれか１項に記載の記録装置であって、
前記開閉トレイには、前記記録媒体の幅方向において当該記録媒体をサポートするサポート部材が設けられていて、
前記開閉トレイおよび前記開閉カバーの前記開き状態では、前記開閉カバーが前記サポート部材に当接して、当該開閉カバーの前記開き状態における位置が規定される、
ことを特徴とする記録装置。
【発明の詳細な説明】
【技術分野】
【０００１】
本発明は、記録装置に関する。
【背景技術】
【０００２】
記録装置の中には、たとえば特許文献１に示すようなタイプが存在する。かかる特許文献１に示す記録装置では、その背面に手差し用開口部が形成されていて、さらにその手差し用開口部へ記録用紙をガイドするための手差しトレイが設けられている。
【先行技術文献】
【特許文献】
【０００３】
【特許文献１】特開２０１１−４６４９７号公報
【発明の概要】
【発明が解決しようとする課題】
【０００４】
特許文献１に開示の構成によれば、手差しトレイを閉じた場合、手差しトレイと筺体の間には、隙間はほとんど形成されない状態となる。そのため、記録用紙を手差しトレイにセットした状態で、手差しトレイを収納する（閉じる）と、記録用紙が折れ曲がる等して、記録用紙が損傷してしまう。
【０００５】
本発明は上記の事情にもとづきなされたもので、その目的とするところは、手差しトレイを閉じ状態とした場合に、記録媒体へダメージが生じるのを防ぐことが可能な記録装置を提供しよう、とするものである。
【課題を解決するための手段】
【０００６】
上記課題を解決するために、本発明の記録装置は、筐体に設けられた手差し用開口部と、前記筐体の前記手差し用開口部より下方に配置され、記録媒体の送り込みをガイドするガイド部を有し、前記手差し用開口部からの前記記録媒体の送り込みを許容する開き状態と、前記手差し用開口部からの前記記録媒体の送り込みを制限する閉じ状態との間で回動可能に設けられている開閉トレイと、前記筐体より突き出し、前記手差し用開口部の上方の一部を構成するフック部と、前記筐体の前記フック部より上方に配置され、前記筐体と前記開閉トレイとの間で開閉可能な開閉カバーと、を備える。そして、前記開閉トレイおよび前記開閉カバーが開いた状態では、前記手差し用開口部からの前記記録媒体の送り込みを許容し、前記開閉トレイおよび前記開閉カバーが閉じた状態では、前記開閉トレイおよび前記開閉カバーとの間で前記記録媒体が移動するのを許容する程度の隙間が形成されて、前記手差し用開口部からの前記記録媒体の送り込みを制限し、前記記録媒体が前記手差し用開口部に導入されて前記開閉トレイおよび前記開閉カバーが閉じた状態では、前記記録媒体は、前記開閉トレイで持ち上げられるとともに、前記フック部に接触する、ものである。
また、本発明の記録装置は、手差し用開口部からの記録媒体の送り込みを許容する開き状態と、手差し用開口部からの記録媒体の送り込みを制限する閉じ状態との間で回動可能に設けられている開閉トレイを具備し、開閉トレイを閉じ状態としたときに、開閉トレイ以外の他の部材と当該開閉トレイとの間には、開閉トレイと他の部材との間で記録媒体が移動するのを許容する程度の隙間が設けられる、ものである。
【０００７】
このように構成する場合には、開閉トレイを閉じ状態としても、他の部材とガイド部との間に隙間が形成され、その隙間に記録媒体を位置させることが可能となるため、開閉トレイと他の部材との間で記録媒体を強制的に挟み込んで、当該記録媒体に折り曲げ等の傷がつくのを防止可能となる。すなわち、記録媒体にダメージが生じるのを防止可能となる。
【０００８】
また、本発明の他の側面は、上述の発明において、開閉トレイのうち記録媒体の送り込みをガイドするガイド部に記録媒体が存在する状態で開閉トレイを開き状態から閉じ状態とする場合には、記録媒体はガイド部と対向しつつ移動させられ、その移動に際しては記録媒体にはガイド部から離れる部位が形成される、ことが好ましい。
【０００９】
このように構成する場合には、開閉トレイを開き状態から閉じ状態へと回動させる場合には、記録媒体はガイド部と対向する状態で移動させられるが、このとき記録媒体にはガイド部から離れる部位が形成されるように強制的に曲げられる。その場合、開閉トレイと他の部材との間の隙間が低減され、それによって手差し用開口部からの異物の入り込みが低減可能となる。
【００１０】
さらに、本発明の他の側面は、上述の発明において、開閉トレイが回動可能に設けられる筐体には、開閉トレイに対向して設けられる異物落下防止部材が取り付けられていて、異物落下防止部材は、異物を受け止めて手差し用開口部からの異物の入り込みを抑える開き状態と、開き状態から当該異物落下防止部材が収納される閉じ状態との間で筐体に対して回動可能に設けられていて、異物落下防止部材は、開閉トレイが閉じる際には、その閉じ動作に連動して閉じると共に、開閉トレイおよび異物落下防止部材の閉じ状態では、これらの間に隙間が形成され、当該隙間に記録媒体を位置させることを可能としている、ことが好ましい。
【００１１】
このように構成する場合には、異物落下防止部材の開き状態では、この異物落下防止部材によって異物の落下が良好に受け止められる。また、開閉トレイを閉じる場合には、異物落下防止部材も連動して閉じることとなる。そして、これら開閉トレイおよび異物落下防止部材の閉じ状態においては、これらの間に隙間が形成され、その隙間に記録媒体を位置させることが可能となり、記録媒体へのダメージを良好に防ぐことが可能となる。
【００１２】
また、本発明の他の側面は、上述の発明において、異物落下防止部材のうち記録媒体へ当接する部分には、記録媒体への接触の際に当該記録媒体への損傷を生じさせるのを防ぐ湾曲部が設けられている、ことが好ましい。
【００１３】
このように構成する場合には、異物落下防止部材のうち記録媒体へ当接する部位に湾曲部が設けられていることによって、記録媒体へダメージが生じるのを一層良好に防止可能となる。加えて、異物落下防止部材とガイド部とに記録媒体が当接する場合には、手差し用開口部から異物の入り込みを防止可能な侵入防止部を形成することが可能となる。
【００１４】
さらに、本発明の他の側面は、上述の発明において、開閉トレイおよび異物落下防止部材の閉じ状態では、開閉トレイおよび異物落下防止部材の上端側の高さ位置は、略同程度に設けられている、ことが好ましい。
【００１５】
このように構成する場合には、開閉トレイおよび異物落下防止部材の閉じ状態では、それらの上端側の高さ位置が略同程度となるため、いずれかが飛び出して目立つ状態となるのを防ぐことができる。それにより、記録装置の背面側におけるデザイン性を良好にすることが可能となる。
【００１６】
また、本発明の他の側面は、上述の発明において、開閉トレイには、記録媒体の幅方向において当該記録媒体をサポートするサポート部材が設けられていて、開閉トレイおよび異物落下防止部材の開き状態では、異物落下防止部材がサポート部材に当接して、当該異物落下防止部材の開き状態における位置が規定される、ことが好ましい。
【００１７】
このように構成する場合には、開閉トレイおよび異物落下防止部材の開き状態において、異物落下防止部材の開き状態における位置を確実に定めることが可能となる。また、そのような開き状態における位置を定めつつも、部品点数を少なくすることが可能となる。
【００１８】
さらに、本発明の他の側面は、手差し用開口部からの記録媒体の送り込みを許容する開き状態と、手差し用開口部からの記録媒体の送り込みを制限する閉じ状態との間で回動可能に設けられている開閉トレイを具備し、開閉トレイを閉じ状態として記録媒体をＳ字状となるように湾曲させたときに、開閉トレイのうち記録媒体の搬送方向の上流側の端部と当該上流側の端部と対向する他の部材との間に隙間が形成される、ことが好ましい。
【００１９】
このように構成する場合には、開閉トレイのうちの記録媒体の搬送方向の上流側の端部と、それとは対向する他の部材との間に隙間が形成される。それにより、開閉トレイを閉じ状態として記録媒体をＳ字状へと湾曲させた場合でも、開閉トレイと他の部材との間で記録媒体を強制的に挟み込んで、当該記録媒体に折り曲げ等の傷がつくのを防止可能となる。すなわち、記録媒体にダメージが生じるのを防止可能となる。
【図面の簡単な説明】
【００２０】
【図１】記録装置内部の搬送経路を示す側断面図である。
【図２】記録装置の概略的な構成を示す図である。
【図３】開閉トレイおよび開閉カバーの開き状態を示す部分的な側断面図である。
【図４】開閉トレイおよび開閉カバーの閉じ状態を示す部分的な側断面図である。
【図５】フック部、開閉トレイおよび開閉カバーを拡大して示す側断面図である。
【図６】侵入防止部を模式的に表した図である。
【図７】他の侵入防止部を模式的に表した図である。
【図８】侵入防止部の概念を表す図である。
【発明を実施するための形態】
【００２１】
以下、本発明の一実施の形態に係る記録装置１０について、図面を参照しながら説明する。
【００２２】
＜記録装置１０の構成について＞
図１は、本発明の記録装置１０のうち、記録用紙Ｐを搬送する経路を示す側断面図である。なお、記録用紙Ｐは、記録媒体の一例に対応するが、たとえばフィルム状部材のような記録用紙Ｐ以外の記録対象物を記録媒体としても良い。また、本明細書における「記録」には、印刷が含まれるものとする。
【００２３】
また、以下の説明においては、図１に示すように、ＸＹＺ直交座標系を設定して説明する場合があるものの、その中で記録用紙Ｐの搬送方向のうち、記録装置１０の設置面に平行な成分をＸ方向とし、設置面から離間する方向をＺ方向とし、それらＸ方向およびＺ方向に直交する方向をＹ方向とする。また、図１の記録ヘッド５０から見て中間ローラー３２が位置する側を背面側とし、それとは逆に中間ローラー３２から見て記録ヘッド５０が位置する側を正面側とする。また、記録装置１０の設置面から見て記録装置１０が設置される側を上方側とし、それとは逆に記録装置１０から上述の設置面側を下方側とする。また、上述の正面側と背面側とを結ぶ方向と前後方向とする。
【００２４】
なお、記録装置１０は、たとえばインクジェット式のプリンターであるが、インクジェット式のプリンター以外に本発明を適用するようにしても良い。また、インクジェット式のプリンターとしては、インクを噴射して記録可能な装置であれば、いかなる噴射方法を採用した装置でも良い。
【００２５】
また、図１においては、記録用紙Ｐの搬送経路上に配置されるローラーを図示するものの、それらは記録装置１０の幅方向（Ｙ方向）において、同じ位置に存在するとは限らない。
【００２６】
記録装置１０は、フロント給紙機構２０を備えており、そのフロント給紙機構２０から記録用紙Ｐを、記録ヘッド５０に向けて搬送し、その記録ヘッド５０での記録後、記録用紙Ｐを下流側に排出する。フロント給紙機構２０は、用紙カセット２１と、ピックアップローラー２２とを備えている。用紙カセット２１は、その内部に複数枚の記録用紙Ｐを積層した状態で収容可能となっている。また、ピックアップローラー２２は、不図示のモーターによって回転駆動されるが、このピックアップローラー２２は、アーム部材２４に取り付けられている。アーム部材２４は、揺動軸２５を中心に揺動可能に設けられている。上述のピックアップローラー２２は、用紙カセット２１に収容されている記録用紙Ｐと接して回転することにより、最上位に位置している記録用紙Ｐを、用紙カセット２１から後述する分離部材２６に向けて送り出す。
【００２７】
また、記録装置１０のうち、用紙カセット２１よりも背面側かつ上方側には、分離部材２６が設けられている。分離部材２６は、ピックアップローラー２２によって送り出された最上位の記録用紙Ｐの先端を当接させて、背面側かつ上方側に進行させる。そして、この当接によって、最上位の記録用紙Ｐと、次位以降の記録用紙Ｐとが分離される。
【００２８】
また、フロント給紙機構２０によって供給される記録用紙Ｐは、ガイドローラーユニット３０に送られる。ガイドローラーユニット３０は、ローラー３１と、中間ローラー３２と、アシストローラー３３とを備えている。ローラー３１と中間ローラー３２とは、複数の記録用紙Ｐから、最上位の記録用紙Ｐを分離する機能を有する。すなわち、複数の記録用紙Ｐが、ローラー３１と中間ローラー３２との間に差し掛かった場合、記録用紙Ｐの間の摩擦力よりも大きく設定されたローラー３１の回転抵抗を利用して、最上位の記録用紙Ｐと、それ以外の記録用紙Ｐとが分離される。なお、ローラー３１は分離ローラーとしてもアシストローラーとしても使用することが可能である。
【００２９】
また、ローラー３１よりも搬送方向における下流側には、アシストローラー３３が設けられている。アシストローラー３３は、中間ローラー３２によって従動回転させられつつも、当該中間ローラー３２との間で記録用紙Ｐを挟み込んで、記録用紙Ｐを搬送方向の下流側にガイドする。
【００３０】
また、ガイドローラーユニット３０よりも、記録用紙Ｐの搬送方向における下流側には、用紙搬送機構４０と、用紙排出機構６０とが設けられている。用紙搬送機構４０は、搬送モーター４１（図２参照）と、搬送駆動ローラー４２と、搬送支持部材４３と、搬送従動ローラー４４とを備えている。搬送駆動ローラー４２は、搬送モーター４１によって駆動させられる。また、搬送従動ローラー４４は、搬送支持部材４３によって軸支されつつ搬送駆動ローラー４２に圧接され、その搬送駆動ローラー４２により搬送従動ローラー４４は従動回転させられる。このような構成により、記録用紙Ｐは、記録ヘッド５０側に搬送される。
【００３１】
また、用紙搬送機構４０より上流側の搬送支持部材４３には、紙端検出センサーＳ１が設けられる。紙端検出センサーＳ１は、記録用紙Ｐの先端及び後端の位置を検出可能とするものである。
【００３２】
また、用紙搬送機構４０よりも記録用紙Ｐの搬送方向における下流側には、記録用紙Ｐの上方側に記録ヘッド５０が位置可能となっている。記録ヘッド５０は、キャリッジ５１の下方に取り付けられている。キャリッジ５１は、記録装置１０の幅方向（主走査方向；Ｙ方向）に延伸するキャリッジ軸５２にガイドされて、キャリッジモーター５３（図２参照）の駆動により主走査方向に往復動させられる。なお、図２に示すように、キャリッジ５１には、例えば、イエロー（Ｙ）、マゼンタ（Ｍ）、シアン（Ｃ）、ブラック（Ｋ）の各色のインクを貯留するカートリッジ５４が搭載されていて、このカートリッジ５４から記録ヘッド５０にインクが供給されて、記録ヘッド５０からインクを噴射可能となっている。
【００３３】
記録ヘッド５０よりも記録用紙Ｐの搬送方向における下流側には、用紙排出機構６０が設けられている。用紙排出機構６０は、不図示の排出モーターと、排出駆動ローラー６１と、排出従動ローラー６２とを備えており、排出モーターの駆動によって排出駆動ローラー６１が回転駆動させられ、その排出駆動ローラー６１に圧接している排出従動ローラー６２が従動回転させられる。なお、用紙排出機構６０をさらに下流側に搬送される記録用紙Ｐは、不図示の用紙受け部へと排出される。
【００３４】
なお、本実施の形態における記録装置１０は、両面印刷に対応したものとなっている。この点を図１に基づいて説明すると、中間ローラー３２よりも正面側には用紙ガイド部材７１が設けられている。用紙ガイド部材７１は、中間ローラー３２の上下方向（Ｚ方向）における所定の高さ位置から正面側に向かうにつれて下方に進行するような搬送面７１ａを有している。なお、この搬送面７１ａは、フロント搬送経路７０を構成している。フロント搬送経路は、請求項でいう第２給紙経路の一例に対応する。
【００３５】
一方、用紙ガイド部材７１よりも下方側には、フレーム部材８１が設けられている。フレーム部材８１は、用紙ガイド部材７１に対して、記録用紙Ｐが通過することが十分に可能な隙間を有して設けられている。そして、このフレーム部材８１の背面側の端部は、中間ローラー３２の下端の近傍まで延伸していて、そのフレーム部材８１には、回り込み部材８２が対向して設けられている。上述のフレーム部材８１の上面と、回り込み部材８２の上面は、記録用紙Ｐを正面側から背面側へと送り込む反転用搬送経路８０を構成していて、この反転用搬送経路８０によってガイドされた記録用紙Ｐは、中間ローラー３２とローラー３１との対向部位へと送り込まれる。
【００３６】
ここで、フロント搬送経路７０により記録用紙Ｐが記録ヘッド５０の下方位置まで搬送され、記録用紙Ｐへの記録（印刷）が行われた後に、その記録用紙Ｐが背面側に戻されると、その記録用紙Ｐは反転用搬送経路８０を進行するように構成されている。そして、記録用紙Ｐが反転用搬送経路８０を進行した後に、ガイドローラーユニット３０を通過することにより、記録用紙Ｐは、最初にガイドローラーユニット３０を通過したときと反転した状態となる。以上のように反転させられた記録用紙Ｐが、フロント搬送経路７０を経て再び記録ヘッド５０の下方へと搬送されることにより、記録用紙Ｐへの両面印刷が実行される。
【００３７】
＜手差しガイド機構９０について＞
続いて、手差しガイド機構９０について説明する。手差しガイド機構９０は、記録装置１０の背面側において、手差しによって記録用紙Ｐを差し込んで、当該差し込まれた記録用紙Ｐを記録装置１０の内部にガイドするための部分である。
【００３８】
手差しガイド機構９０は、記録装置１０の背面側に存在する手差し用開口部９１（図１参照）から、記録用紙Ｐを差し込む際に、その差し込みをガイドするものである。この手差しガイド機構９０は、手差しトレイ体９２と、開閉カバー９５と、上方ガイド部材１２０と、を有している。これらのうち手差しトレイ体９２は、トレイ基部９３と、開閉トレイ９４とを有している。トレイ基部９３は、上述の中間ローラー３２の上方に位置していて、背面側から正面側に向かうにつれて上方から下方に向かうような傾斜部９３ａを有している。なお、本実施の形態では、用紙ガイド部材７１の上方側の端部と、トレイ基部９３の正面側の端部とは、Ｘ方向（前後方向）において同程度の位置に設けられている。しかしながら、これらの端部は、必ずしもＸ方向（前後方向）において同程度の位置に設けられる必要はない。
【００３９】
また、トレイ基部９３の上方側の端部９３ｂには、開閉トレイ９４の正面側の端部（当接端部９４ｂ）が当接可能に設けられている。この開閉トレイ９４の側方には、回動軸９４ｃが設けられていて、その回動軸９４ｃは図示を省略する側方支持部によって回動可能に設けられている。また、開閉トレイ９４には、記録用紙Ｐの送り込みをガイドするガイド部９４ａが、図１および図３の開き状態における表面側に設けられている。そして、この当接端部９４ｂの上部がトレイ基部９３の端部９３ｂに当接している状態（開閉トレイ９４が開いている状態）では、開閉トレイ９４のガイド部９４ａと、トレイ基部９３の傾斜部９３ａとが連なって、記録用紙Ｐを良好にガイド可能としている。
【００４０】
なお、開閉トレイ９４のガイド部９４ａの側方側には、記録用紙Ｐの幅に応じて当該記録用紙Ｐの搬送における傾きを抑えるためのサポート部材９７が設けられている。サポート部材９７は一対設けられていて、ガイド部９４ａの幅方向において互いに近接する、または互いに離間するように、対称に移動するように設けられている。また、ガイド部９４ａの傾斜角度と、傾斜部９３ａの傾斜角度は、同程度であることが好ましいが、記録用紙Ｐを良好にガイド可能であれば、必ずしも同程度でなくても良い。
【００４１】
また、異物落下防止部材としての開閉カバー９５は、トレイ基部９３および開閉トレイ９４の上方側に位置し、それらトレイ基部９３および開閉トレイ９４に対して間隔を有する状態で設けられている。この開閉カバー９５の側方には、回動軸９５ａが設けられていて、その回動軸９５ａが図示を省略する支持部によって回動可能に支持されることで、開閉カバー９５は回動可能としている。この開閉カバー９５の開き状態においては、記録装置１０の内部への異物の入り込みが防止される。
【００４２】
なお、図３に示すように、上方側から開閉カバー９５を見た場合において、開閉カバー９５が開いた状態で見えない側の面を裏面９５ｂとすると、開閉カバー９５が開いた状態における裏面９５ｂの上端側は、サポート部材９７に当接する。それにより、開閉カバー９５の開き角度（開いたときの位置）が定められる。
【００４３】
一方、開閉トレイ９４が閉じ状態となる場合には、図４に示すように、開閉トレイ９４の表面側の上端部分は、開き状態のときよりも正面側に位置する状態となる。ここで、開閉トレイ９４のサポート部材９７に対して開閉カバー９５の裏面９５ｂの上端側は当接しているため、開閉トレイ９４が閉じ状態となる場合には、開閉カバー９５も閉じ状態となる。なお、開閉カバー９５が閉じ状態となる場合には、その開閉カバー９５の表面側に突出する位置規制部９５ｃが、記録装置１０の筐体１００のうち後述する上下延伸部１１１に当接する。それによって、開閉カバー９５は、上下方向（Ｚ方向）に沿う起立状態となっている。
【００４４】
図４に示すように、開閉トレイ９４および開閉カバー９５の閉じ状態においては、開閉トレイ９４の上端側と開閉カバー９５の上端側との間に、これらの間で記録用紙Ｐが移動するのを許容する程度の隙間Ｐ１が形成される。かかる隙間Ｐ１の存在により、開閉トレイ９４のガイド部９４ａに記録用紙Ｐが載置されている状態で、開閉トレイ９４および開閉カバー９５を閉じても、記録用紙Ｐにはダメージが生じない。すなわち、隙間Ｐ１の存在によって、記録用紙Ｐが折り曲げられる等のダメージが生じるのを防止可能となっている。なお、以下の説明においては、隙間Ｐ１を形成する開閉トレイ９４の上端側の部分を、上方端部９４ｄとする。
【００４５】
なお、隙間Ｐ１に記録用紙Ｐが存在する場合、その記録用紙Ｐは、その幅方向の全体に亘って前後方向に移動することを可能としている。すなわち、隙間Ｐ１は、記録用紙Ｐが前後方向に移動可能な程度の寸法に形成されており、寸法公差等の影響によって形成された隙間とは相違している。換言すれば、隙間Ｐ１は、寸法公差等の影響によって形成される隙間に対して十分に大きな寸法（たとえば手差しによって差し込まれる記録用紙Ｐのうち厚みが最大となるタイプの厚みの少なくとも２倍以上の隙間）に形成されている。
【００４６】
また、記録装置１０の筐体１００には、異物受け部材１１０が設けられている。本実施の形態では、異物受け部材１１０は、図４に示す閉じ状態（起立状態）における開閉カバー９５を受け止めるように設けられている。この異物受け部材１１０は、上下延伸部１１１と、フック部１１２とを有している。上下延伸部１１１は、図３〜図５に示すように、上下方向（Ｚ方向）に沿って延伸している部分である。この上下延伸部１１１は、開閉カバー９５が閉じ状態（起立状態）となるように、開閉カバー９５の位置規制を行う部分である。
【００４７】
なお、筐体１００には、異物受け部材１１０の他に、後述する上方ガイド部材１２０を含めるようにしても良く、上述したフレーム部材８１を含めるようにしても良く、また用紙ガイド部材７１を含めるようにしても良い。なお、上方ガイド部材１２０、フレーム部材８１、用紙ガイド部材７１のうちから選択される２つ以上のものが筐体１００に含まれるものとしても良い。また、たとえば図３には、筐体１００の上方に、別途のフレーム（符号省略）が図示されているが、このフレームも筐体１００に含まれる。ただし、このフレームが筐体１００に含まれないものとしても良い。
【００４８】
フック部１１２は、フック状に形成された部分であり、図５に示す構成では、前後方向（Ｘ方向）に沿う水平部１１２ａと、上下方向に沿う垂直部１１２ｂと、水平部１１２ａと垂直部１１２ｂとを連結する傾斜部１１２ｃとを有している。水平部１１２ａの正面側の端部が上下延伸部１１１の下端側に接続されていて、その水平部１１２ａの背面側の端部は、傾斜部１１２ｃに接続されている。
【００４９】
傾斜部１１２ｃは、水平部１１２ａから離間するにつれて上方に向かうように傾斜している部分であり、その背面側の端部は、垂直部１１２ｂに接続されている。そして、垂直部１１２ｂの最も上端側の部位が、フック部１１２の中で最も高さ位置が高く設けられている。このような水平部１１２ａ、垂直部１１２ｂおよび傾斜部１１２ｃの存在により、フック部１１２の上面側には凹部１１２ｄが設けられる状態となっている。
【００５０】
また、垂直部１１２ｂの背面側の端部は、開閉カバー９５が閉じ状態（起立状態）の場合に、その開閉カバー９５の下方側および上方側の端部よりも背面側に向かって突出している。それにより、異物が隙間Ｐ１から侵入しても、凹部１１２ｄで異物を受け止めることが可能となっている。
【００５１】
ここで、フック部１１２の下面部１１２ｅのうち、水平部１１２ａと傾斜部１１２ｃの間の境界部分には、湾曲部１１２ｆ１が設けられている。同様に、フック部１１２の下面部１１２ｅのうち、傾斜部１１２ｃと垂直部１１２ｂの間の境界部分にも、湾曲部１１２ｆ２が設けられている。そのため、フック部１１２の下面部１１２ｅに記録用紙Ｐが当接しても、その記録用紙Ｐの当接部位に、折り曲げ等のダメージが生じないようになっている。
【００５２】
なお、湾曲部１１２ｆ１，１１２ｆ２は、後述する第２接触部Ｂの一部となり得る部分である。ここで、湾曲部１１２ｆ１と湾曲部１１２ｆ２の両方が第１接触部Ｂの一部となっても良いが、湾曲部１１２ｆ１と湾曲部１１２ｆ２のうちのいずれか一方のみが第１接触部Ｂの一部となっても良い。
【００５３】
また、異物受け部材１１０の正面側には、上方ガイド部材１２０が隣り合っている。上方ガイド部材１２０は、記録用紙Ｐを上方側から内部に導くための部材である。この上方ガイド部材１２０のうち、記録用紙Ｐをガイドする下側ガイド部１２１は、背面側から正面側に向かうにつれて上方から下方に向かうような傾斜角度に形成されている。
【００５４】
なお、フック部１１２の下面部１１２ｅおよび下側ガイド部１２１と、トレイ基部９３の傾斜部９３ａとの間にも、記録用紙Ｐを十分に通過させることが可能な隙間が存在している。
【００５５】
また、記録装置１０のうち傾斜部９３ａよりも正面側には、内部空間ＩＳが存在している。内部空間ＩＳは、記録用紙Ｐのうち傾斜部９３ａの正面側端部よりも正面側に飛び出した部分が自重によって垂れ下がるのを許容する空間部分である。この内部空間ＩＳの下方側には、上述した用紙ガイド部材７１が位置している。この用紙ガイド部材７１に未だ用紙ガイド部材７１に到達していない記録用紙Ｐが、さらに記録装置１０の内部に送り込まれて垂れ下がることにより、記録用紙Ｐの搬送方向における先端側は用紙ガイド部材７１に到達する。
【００５６】
ここで、上述の開閉トレイ９４のガイド部９４ａ、トレイ基部９３の傾斜部９３ａ、開閉カバー９５の裏面９５ｂ、フック部１１２の下面部１１２ｅ、上方ガイド部材１２０の下側ガイド部１２１は、手差しガイド経路９８を構成している（図３他参照）。手差しガイド経路９８によってガイドされた記録用紙Ｐがさらに搬送方向における下流側に進行すると、記録用紙Ｐは、図１に示される搬送駆動ローラー４２と、搬送従動ローラー４４との間でニップされる（挟み込まれる）。
【００５７】
また、図４および図５に示すように、本実施の形態では、開閉トレイ９４および開閉カバー９５が閉じた状態においても、手差しガイド経路９８に記録用紙Ｐを位置させることが可能となっている。この場合、開閉トレイ９４の上方端部９４ｄと、フック部１１２の下面部１１２ｅとに、記録用紙Ｐが当接するように設けられている。記録用紙Ｐを用いたときにこのような当接が実現されると、かかる記録用紙Ｐの当接により、後述するような侵入防止部１３０が構成される。なお、記録用紙Ｐは、トレイ基部９３の傾斜部９３ａにも当接するが、その傾斜部９３ａの下側端部にも記録用紙Ｐが当接し易くなっている。
【００５８】
また、図２に示すように、記録装置１０は、上記の構成以外に、制御部１４０を有している。制御部１４０は、上述した記録ヘッド５０、搬送モーター４１、キャリッジモーター５３等の駆動を司る。制御部１４０は、通信インターフェース１４１を備えていて、この通信インターフェース１４１を介して、コンピューターＰＳとの間で通信を行うことを可能としている。
【００５９】
＜動作について＞
以上のような構成を有する記録装置１０のうち、開閉トレイ９４および開閉カバー９５に関する動作について、以下に説明する。
【００６０】
記録装置１０において、手差し用開口部９１から記録用紙Ｐを差し込み、差し込まれた記録用紙Ｐに印刷を行う場合には、図３に示すように、トレイ基部９３の端部９３ｂを当接端部９４ｂに当接させて、開閉トレイ９４を開き状態とすると共に、開閉カバー９５の裏面９５ｂの上端側をサポート部材９７に当接させて、開閉カバー９５も開き状態とする。
【００６１】
そして、これら開閉トレイ９４および開閉カバー９５の開き状態で、記録用紙Ｐを手差しガイド経路９８にセットする。このセット状態では、記録用紙Ｐの差し込みの先端側は、搬送駆動ローラー４２の近傍の筐体１００に到達した状態となっている。そして、セットされた記録用紙Ｐに対して印刷指令に基づいて印刷が実行されると、その記録用紙Ｐは、印刷の進行と共に、手差しガイド経路９８を介して下方側に徐々に搬送されていく。
【００６２】
一方、手差しガイド経路９８に記録用紙Ｐをセットした状態で、開閉トレイ９４および開閉カバー９５を閉じ状態とする場合、図４および図５に示すように、開閉トレイ９４の上端側と開閉カバー９５の上端側との間に隙間Ｐ１が形成される。この隙間Ｐ１の存在によって、開閉トレイ９４および開閉カバー９５を閉じ状態としても、記録用紙Ｐに折り曲げ等のダメージが生じるのが防止される。
【００６３】
ただし、隙間Ｐ１が形成されると、その隙間Ｐ１から埃等が内部に侵入する等の不具合が生じる。しかしながら、本実施の形態では、図４および図５に示すように、記録用紙Ｐは、開閉トレイ９４に対して上方端部９４ｄの近傍（第１接触部Ａ）で接触し、さらに記録用紙Ｐはフック部１１２に対し下面部１１２ｅ（第２接触部Ｂ）で接触する。ここで、開閉トレイ９４を閉じる場合の記録用紙Ｐの曲がり方の変動について述べると、以下のようになる。
【００６４】
開閉トレイ９４および開閉カバー９５を閉じる場合、その開閉トレイ９４を閉じる向きに向かって回動させると、記録用紙Ｐも強制的に曲げられる。ここで、記録用紙Ｐ自身もコシ（弾性）を有する。そのため、開閉トレイ９４が図３に示すような開き状態から図４に示すような閉じ状態へ向かうように回動させるにつれて、記録用紙Ｐの正面側かつ下方側の端部が傾斜部９３ａの正面側の端部（下側の端部）に接触した状態を維持しながらも、記録用紙Ｐの残り部分は傾斜部９３ａから離れていく。そして、ある程度開閉トレイ９４を回動させると、記録用紙Ｐにはフック部１１２に接触する部位が生じるようになる。すなわち、第２接触部Ｂが形成されるようになる。
【００６５】
一方、上述のように開閉トレイ９４を閉じる向きに回動させる場合、ガイド部９４ａにおいては、記録用紙Ｐの挙動は次のようになる。すなわち、開閉トレイ９４を回動させるにつれて、ガイド部９４ａの傾斜角度は設置面に対して大きくなるものの、記録用紙Ｐの有するコシ（弾性）によって、記録用紙Ｐは、ガイド部９４ａに倣うほどの傾斜角度とはならない。そのため、記録用紙Ｐは、上方端部９４ｄの近傍（第１接触点Ａ）に対しては接触するものの、記録用紙Ｐのうちその他の部分は、開閉トレイ９４を閉じる向きに回動させるにつれて、ガイド部９４ｄから離れていく。このとき、記録用紙Ｐのうち上方端部９４ｄの近傍（第１接触点Ａ）に当接する以外の部分は、ガイド部９４ａに対して離れつつ当該ガイド部９４ａに対して対向する状態で強制的に移動させられる（曲げられる）。
【００６６】
そして、開閉トレイ９４を閉じ状態とすると、最終的には図４および図５に示すように記録用紙Ｐが曲げられる状態となる。すなわち、記録用紙Ｐは、上方端部９４ａの近傍（第１接触点Ａ）、フック部１１２の下面部１１２ｅ（第２接触点Ｂ）、および傾斜部９３ａの正面側の端部（下側の端部）に当接しつつも、記録用紙Ｐのその他の部分は、傾斜部９３ａおよびガイド部９４ａに対して隙間を有する（対向する）状態で曲げられる。
【００６７】
記録用紙Ｐを用いたときに上述のような状態となると、埃等が記録装置１０の手差し用開口部９１から内部に侵入するのを防止する侵入防止部１３０が構成される。なお、上方端部９４ｄは、第１接触部Ａの一部となる部分である。ただし、上方端部９４ｄは、第１接触部Ａの一部とならなくても良く、また上方端部９４ｄの一部が第１接触部Ａとなっても良い。
【００６８】
図６は、侵入防止部１３０を模式的に表したものである。この図６に示すように、埃等の異物が記録装置１０の手差し用開口部９１から内部に侵入しようとしても、その異物の侵入は、第１接触部Ａおよび第２接触部Ｂで接触している記録用紙Ｐの存在によって遮断される。すなわち、開閉トレイ９４および開閉カバー９５の閉じ状態の際に存在している記録用紙Ｐを利用して、埃等の異物の侵入を防止する侵入防止部１３０が構成され、その侵入防止部１３０によって、埃等の異物は、記録装置１０の内部へ入り込むのが妨げられる。
【００６９】
なお、既に述べたように、記録用紙Ｐをセットした状態で、開閉トレイ９４および開閉カバー９５を閉じ状態とする場合、通常は、図４および図５に示すように、記録用紙Ｐのうち開閉トレイ９４の上方端部９４ｄよりも上方側の部位は、記録用紙Ｐの自重によって背面側に向かうように湾曲している。そして、上方端部９４ｄよりも下方側では、記録用紙Ｐのコシ（弾性）等によって、記録用紙Ｐは垂直に近い状態となる。一方、下面部１１２ｅでは、記録用紙Ｐのコシ（弾性）に逆らって、記録用紙Ｐは、正面側に向かって強制的に向きを変更するように湾曲させられる。また、記録用紙Ｐの先端側は、搬送駆動ローラー４２の近傍の筐体１００に到達しているため、記録用紙Ｐのうちフック部１１２の下面部１１２ｅよりも下方側の部位では、その記録用紙Ｐの下方に向かうにつれて、当該記録用紙Ｐの傾斜角度が徐々に緩やかになるように湾曲している。
【００７０】
しかしながら、記録用紙Ｐのセット状態においては、記録用紙Ｐは、必ずしもこのような状態で存在していなくても良い。すなわち、埃等の異物の侵入を防止する侵入防止部１３０は、図４および図５に示すものには限られない。
【００７１】
そのような他の侵入防止部１３０を、図７に示す。図７では、記録用紙Ｐの上方側が、上下延伸部１１１と面一の記録装置１０の筐体１００（第１接触部Ａ）で接触し、さらに記録用紙Ｐの下方側が開閉トレイ９４のガイド部９４ａの中途部分（第２接触部Ｂ）で接触した状態を示している。たとえば、記録用紙Ｐのうちガイド部９４ａの中途部位に差し掛かる部位に曲がりぐせがついている等の場合、上述したような開閉トレイ９４を閉じる向きに回動させると、その回動途中で、記録用紙Ｐは上方端部９４ｄから離れてしまい、上方端部９４ｄよりも下方側の中途部分で記録用紙Ｐがガイド部９４ａに接触する。この場合には、記録用紙Ｐが接触しているガイド部９４ａの中途部分が、第２接触部Ｂとなる。このような状態でも、記録用紙Ｐが第１接触部Ａと第２接触部Ｂで接触することによって侵入防止部１３０が構成され、埃等の異物が記録装置１０の内部に侵入するのを良好に防止可能となる。
【００７２】
なお、図６および図７から分かる侵入防止部１３０の概念を、図８に示す。図８に示すように、記録用紙Ｐを用いた場合においては、埃等の異物が進行する経路Ｋのうち、一方の側の壁部Ｈ１に記録用紙Ｐが接触する第１接触部Ａが存在し、他方の壁部Ｈ２にも記録用紙Ｐが接触する第２接触部Ｂが存在すれば、埃等の異物の進行が妨げられ、侵入防止部１３０が構成されることになる。本実施の形態における記録装置１０は、記録用紙Ｐを手差しガイド経路９８にセットすることにより、このような侵入防止部１３０を構成することが可能となっている。
【００７３】
＜効果＞
以上のような構成の記録装置１０によると、開閉トレイ９４を閉じ状態としても、開閉トレイ９４のガイド部９４ａと開閉カバー９５との間に隙間Ｐ１が形成され、その隙間Ｐ１に記録用紙Ｐを位置させることが可能となる。そのため、ガイド部９４ａ（開閉トレイ９４）と開閉カバー９５との間で記録用紙Ｐを強制的に挟み込んで、その記録用紙Ｐに折り曲げ等の傷がつくのを防止可能となる。すなわち、記録用紙Ｐにダメージが生じるのを防止可能となる。
【００７４】
すなわち、開閉トレイ９４のうちの上方端部９４ｄと、それとは対向する開閉カバー９５との間に隙間Ｐ１が形成される。それにより、開閉トレイ９４を閉じ状態として記録用紙ＰをＳ字状へと湾曲させた場合でも、記録用紙Ｐに折り曲げ等の傷がつくのを防止可能となり、記録用紙Ｐにダメージが生じるのを防止可能となる。
【００７５】
加えて、開閉トレイ９４における第１接触部Ａと、異物受け部材１１０における第２接触部Ｂとが両方同時に記録用紙Ｐに接触することによって侵入防止部１３０が形成される。そのため、上述のような隙間が存在していても、侵入防止部が形成されることによって、手差し用開口部９１からの異物の入り込みが防止可能となる。
【００７６】
また、開閉カバー９５の開き状態では、この開閉カバー９５によって異物の落下が良好に受け止められる。また、開閉トレイ９４を閉じる場合には、開閉カバー９５も連動して閉じることとなる。そして、これら開閉トレイ９４および開閉カバー９５の閉じ状態においては、これらの間に隙間Ｐ１が形成され、その隙間Ｐ１に記録用紙Ｐを位置させることが可能となり、記録用紙Ｐへのダメージを良好に防ぐことが可能となる。
【００７７】
また、フック部１１２には湾曲部１１２ｆ１，１１２ｆ２が設けられていて、この湾曲部１１２ｆ１，１１２ｆ２の少なくとも一方が第２接触部Ｂの一部となっている。そのため、記録用紙Ｐへダメージが生じるのを一層良好に防止可能となる。
【００７８】
さらに、開閉カバー９５が設けられ、この開閉カバー９５の開き状態では、当該開閉カバー９５によって異物の落下が良好に受け止められる。また、開閉トレイ９４を閉じる場合には、開閉カバー９５も連動して閉じることとなる。そして、これら開閉トレイ９４および開閉カバー９５の閉じ状態においては、これらの間に隙間Ｐ１が形成され、その隙間Ｐ１に記録用紙Ｐを位置させることが可能となり、記録用紙Ｐへのダメージを良好に防ぐことが可能となる。
【００７９】
また、本実施の形態では、開閉トレイ９４および開閉カバー９５の閉じ状態では、それらの上端側の高さ位置が略同程度となるため、いずれかが飛び出して目立つ状態となるのを防ぐことができる。それにより、記録装置１０の背面側におけるデザイン性を良好にすることが可能となる。
【００８０】
さらに、本実施の形態では、開閉トレイ９４および開閉カバー９５の開き状態では、開閉カバー９５がサポート部材９７に当接して、開閉カバー９５の開き状態における位置が規定される。そのため、開閉カバー９５の開き状態における位置を確実に定めることが可能となる。また、そのような開き状態における位置を定めつつも、部品点数を少なくすることが可能となる。
【００８１】
＜変形例＞
以上、本発明の一実施の形態について述べたが、本発明は、種々変形可能である。以下、それについて述べる。
【００８２】
（１）変形例その１
上述の実施の形態においては、記録装置１０には開閉カバー９５が設けられている。しかしながら、記録装置１０は、開閉カバー９５を備えない構成としても良い。すなわち、記録用紙Ｐは、開閉トレイ９４に対して上方端部９４ｄ（第１接触部Ａ）で接触し、さらに記録用紙Ｐはフック部１１２に対し下面部１１２ｅ（第２接触部Ｂ）で接触し、それによって侵入防止部１３０を構成している。そのため、開閉カバー９５が存在しなくても、侵入防止部１３０を構成することが可能であり、開閉カバー９５を設けないようにしても良い。
【００８３】
（２）変形例その２
また、上述の実施の形態においては、開閉カバー９５は、異物落下防止部材の一例に対応するものとしている。しかしながら、異物落下防止部材は、開閉カバー９５に限られるものではない。たとえば、先端にローラーが取り付けられ、そのローラーの回転によって、開閉トレイ９４との間で記録用紙Ｐの搬送をガイドする態様の異物落下防止部材であっても良い。
【００８４】
（３）変形例その３
また、上述の実施の形態では、開閉トレイ９４を閉じる場合に、開閉カバー９５も連動して閉じるように構成されている。しかしながら、これらは連動せずに、独立した状態で閉じるように構成されていても良い。
【００８５】
（４）変形例その４
また、上述の実施の形態において、開閉トレイ９４および開閉カバー９５の開閉動作を、たとえばモーター等の駆動によって自動的に行うように構成しても良い。
【００８６】
（５）変形例その５
上述の実施の形態では、記録ヘッド５０は、キャリッジ軸５６に沿って移動するキャリッジ５１に設けられている。しかしながら、記録ヘッドは、たとえば記録用紙Ｐの幅方向に沿って長手に設けられるラインヘッドであっても良い。
【００８７】
（６）変形例その６
また、上述の実施の形態において、記録装置１０の概念には、上述したインクジェット式のプリンター以外に、レーザープリンターを含めることも可能である。すなわち、レーザープリンターに対しても、本発明を適用可能である。記録装置１０の概念には、インク以外の他の液体（液体そのものや、機能材料の粒子が液体に分散又は混合されてなる液状体、ゲルのような流動性を有する材質を含む）を噴射したり噴射したりする流体噴射装置を含むようにすることもでき、そのような流体噴射装置に対しても本発明を適用可能である。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【００８８】
（７）変形例その７
さらに、本発明の記録装置１０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【００８９】
１０…記録装置、２０…フロント給紙機構、２１…用紙カセット、２２…ピックアップローラー、２４…アーム部材、２５…揺動軸、２６…分離部材、３０…ガイドローラーユニット、３１…ローラー、３２…中間ローラー、３３…アシストローラー、４０…用紙搬送機構、４１…搬送モーター、４２…搬送駆動ローラー、４３…搬送支持部材、４４…搬送従動ローラー、５０…記録ヘッド、５１…キャリッジ、５２…キャリッジ軸、５３…キャリッジモーター、５４…カートリッジ、５６…キャリッジ軸、６０…用紙排出機構、６１…排出駆動ローラー、６２…排出従動ローラー、７０…フロント搬送経路、７１…用紙ガイド部材、７１ａ…搬送面、８０…反転用搬送経路、８１…フレーム部材、８２…回り込み部材、９０…ガイド機構、９１…手差し用開口部、９２…トレイ体、９３…トレイ基部、９３ａ…傾斜部、９３ｂ…端部、９４…開閉トレイ、９４ａ…ガイド部、９４ｂ…当接端部、９４ｃ…回動軸、９４ｄ…上方端部、９５…開閉カバー（異物落下防止部材の一例に対応）、９５ａ…回動軸、９５ｂ…裏面、９５ｃ…位置規制部、９７…サポート部材、９８…手差しガイド経路、１００…筐体、１１０…異物受け部材、１１１…上下延伸部、１１２…フック部、１１２ａ…水平部、１１２ｂ…垂直部、１１２ｃ…傾斜部、１１２ｄ…凹部、１１２ｅ…下面部、１１２ｆ１，１１２ｆ２…湾曲部、１２０…上方ガイド部材、１２１…下側ガイド部、１３０…侵入防止部、１４０…制御部、１４１…通信インターフェース、Ａ…第１接触部、Ｂ…第２接触部、Ｈ１，Ｈ２…壁部、ＩＳ…内部空間、Ｋ…経路、Ｐ…記録用紙、Ｐ１…隙間、ＰＳ…コンピューター、Ｓ１…紙端検出センサー
【図１】
0005929214.tif 000002
【図２】
0005929214.tif 000003
【図３】
0005929214.tif 000004
【図４】
0005929214.tif 000005
【図５】
0005929214.tif 000006
【図６】
0005929214.tif 000007
【図７】
0005929214.tif 000008
【図８】
0005929214.tif 000009